(57)【要約】【課題】瞬断等による従来見られた不具合発生を防止する。【解決手段】リセット端子を備えるメインＩＣと、リセット端子に接続された追加回路とを備え、追加回路は、メインＩＣへ供給される電源電圧を入力する第１入力端子と、メインＩＣが稼働状態にあるときにメインＩＣから出力される制御信号を入力する第２入力端子と、第２入力端子からの制御信号の入力があり且つ第１入力端子における電源電圧のレベルが上記所定レベルより高い所定のしきい値を下回ったときにオン状態となるスイッチ素子とを備え、スイッチ素子がオン状態となったときにリセット端子にリセット信号を与え、メインＩＣは、リセット端子にリセット信号が与えられたときにリセット状態へ移行する。【選択図】図２
2012230602.tif 000002
【特許請求の範囲】
【請求項１】
制御部へ供給される電源電圧が所定レベルよりも低下する前に当該制御部をリセットさせる電子機器であって、
リセット端子を備える上記制御部としてのメインＩＣと、
リセット端子に接続された追加回路と、を備え、
追加回路は、メインＩＣへ供給される電源電圧を入力する第１入力端子と、メインＩＣが稼働状態にあるときにメインＩＣから出力される制御信号を入力する第２入力端子と、第２入力端子からの制御信号の入力があり且つ第１入力端子における電源電圧のレベルが上記所定レベルより高い所定のしきい値を下回ったときにオン状態となるスイッチ素子とを備え、当該スイッチ素子がオン状態となったときにリセット端子にリセット信号を与え、
メインＩＣは、リセット端子にリセット信号が与えられたときにリセット状態へ移行することを特徴とする電子機器。
【請求項２】
上記追加回路は、第２入力端子からの制御信号による電荷を保持することで当該制御信号が途絶えた後も第２入力端子から制御信号の入力がある状態と同等の状態を所定時間維持するＣＲ回路を備えることを特徴とする請求項１に記載の電子機器。
【請求項３】
上記追加回路へ電源供給するための供給系統を少なくとも２系統備え、当該２系統のうち、外部からの電源供給が絶たれたときに追加回路へ供給する電圧がより早く低下する方の供給系統と上記第１入力端子とを接続したことを特徴とする請求項１または請求項２に記載の電子機器。
【請求項４】
制御部へ供給される電源電圧が所定レベルよりも低下する前に当該制御部をリセットさせる電子機器であって、
外部の商用電源と接続し、入力した商用電源をＡＣ‐ＤＣ変換して所定の電源電圧を生成し出力可能な電源回路と、
電子機器が稼働状態かスタンバイ状態かにかかわらず電源回路から出力される第１電源電圧を入力して稼働し、外部からの電源オンの指示を受け付けたときに、電子機器を稼働状態とするための第１制御信号を出力するサブＩＣと、
第１制御信号を入力し、かつ、電源回路から出力される第２電源電圧を入力することにより稼働する上記制御部としてのＩＣであってリセット端子を備えるメインＩＣと、
リセット端子に接続された追加回路と、を備え、
追加回路は、第２電源電圧を入力する第１入力端子と、メインＩＣが稼働状態にあるときにメインＩＣから出力される第２制御信号を入力する第２入力端子と、第１電源電圧を入力する第３入力端子と、ベースを第２入力端子に接続しエミッタをグラウンドに接続したＮＰＮ型の第１トランジスタと、カソードを第１入力端子に接続しアノードを第１トランジスタのコレクタ側に接続し上記所定レベルよりも高い所定のしきい値以上の電圧が第１入力端子に印加された場合にアノード側へ電流を流すツェナーダイオードと、ツェナーダイオードのアノードと第１トランジスタのコレクタとを結ぶ経路に対してベースを接続しエミッタを第３入力端子に接続しコレクタをグラウンドに接続したＰＮＰ型の第２トランジスタとを備え、第３入力端子と第２トランジスタのエミッタとを結ぶ経路に対してリセット端子を接続し、第２入力端子から第２制御信号の入力があることで第１トランジスタがオン状態となり且つ第１入力端子における第２電源電圧のレベルが上記しきい値を下回ったとき第２トランジスタがオン状態となることによりリセット端子にリセット信号を与え、
メインＩＣは、リセット端子にリセット信号が与えられたときにリセット状態へ移行し、
追加回路は、第２入力端子からの第２制御信号による電荷をコンデンサに保持することで第２制御信号が途絶えた後も第２入力端子から第２制御信号の入力がある状態と同等の状態を所定時間維持するＣＲ回路を備え、
さらに、追加回路へ第１電源電圧を供給するための供給系統と第２電源電圧を供給するための供給系統とのうち、第２電源電圧を供給する供給系統の方が、商用電源からの供給が絶たれたときに追加回路へ供給する電圧がより早く低下することを特徴とする電子機器。
【発明の詳細な説明】
【技術分野】
【０００１】
本発明は、リセット機能を備えた電子機器に関する。
【背景技術】
【０００２】
外部の商用電源から電子機器への電源供給が突然絶たれたり一時的に絶たれたりする（瞬断あるいは瞬停）ことがある。このような場合、稼動中の電子機器が備える制御部（ＩＣ：Integrated Circuit）へそれまで供給されていた所定レベルの電源電圧が急に低下することで、当該ＩＣがフリーズしたり誤動作を起したりし、以後、正常に動作しなくなることがある。一般に、電子機器が備える電源回路内において、このような瞬断等を検知する検知回路を設け、当該検知回路によって瞬断が検知された場合にＩＣに対する保護機能を働かせる設計とすることが考えら得る。
【０００３】
また、関連技術として、マイコンへの出力電圧がマイコンの動作保証電圧以下に降下する前に、マイコンを初期化させるリセット信号電圧をマイコンのリセット端子に供給するリセット回路が知られている（特許文献１参照。）。また、電源の瞬断・瞬停や電源電圧の低下を検出してマイコンをリセット状態に移行させることで制御エラーやＣＰＵの暴走が発生しないようにした構成が知られている（特許文献２，３参照）。
【先行技術文献】
【特許文献】
【０００４】
【特許文献１】特開２０００‐２０７０６５号公報
【特許文献２】特開２０１０‐１８６３３６号公報
【特許文献３】特開２００１‐２９６５８７号公報
【発明の概要】
【発明が解決しようとする課題】
【０００５】
ここで、電子機器を組み立てて製造する際に、既にユニット化された電源回路を用いて製品を効率的に製造しようとする場合には、電源回路内に上記検知回路を設ける等の対策を採ることは困難である。また、瞬断等によるＩＣのフリーズや誤動作をより確実に防止するための対策としては、さらなる改善の余地があった。
【０００６】
本発明は上記課題を解決するためになされたものであり、瞬断等による従来見られた制御部の不具合発生をより確実に防止することが可能な電子機器を提供する。
【課題を解決するための手段】
【０００７】
本発明の態様の一つは、制御部へ供給される電源電圧が所定レベルよりも低下する前に当該制御部をリセットさせる電子機器であって、リセット端子を備える上記制御部としてのメインＩＣと、リセット端子に接続された追加回路とを備え、追加回路は、メインＩＣへ供給される電源電圧を入力する第１入力端子と、メインＩＣが稼働状態にあるときにメインＩＣから出力される制御信号を入力する第２入力端子と、第２入力端子からの制御信号の入力があり且つ第１入力端子における電源電圧のレベルが上記所定レベルより高い所定のしきい値を下回ったときにオン状態となるスイッチ素子とを備え、当該スイッチ素子がオン状態となったときにリセット端子にリセット信号を与え、メインＩＣは、リセット端子にリセット信号が与えられたときにリセット状態へ移行する構成としてある。
【０００８】
当該構成によれば、メインＩＣへ供給される電源電圧のレベルが上記しきい値を下回った場合にメインＩＣがリセットされる。そのため、瞬断等により、メインＩＣへ供給される電源電圧のレベルが、メインＩＣにフリーズや誤動作等の不具合を起させるようなレベル（上記所定レベルよりも低い電圧）へ急に下がる場合でも、かかる不具合が発生する前に確実にメインＩＣをリセットして安全な状態とすることができる。また、追加回路を設けることでこのような構成を実現するため、ユニット化された電源回路を用いて電子機器を製造しようとする場合にも好適である。
【図面の簡単な説明】
【０００９】
【図１】電子機器の構成の一例を概略的に示す図である。
【図２】追加回路の構成を示す図である。
【図３】制御信号のシーケンスを示す図である。
【図４】追加回路を備えた場合のリセット端子がＬレベルに切り換わるタイミングと、従来のリセットＩＣの出力がＬレベルに切り換わるタイミングとを示す図である。
【発明を実施するための形態】
【００１０】
本発明の実施形態として、上記追加回路は、第２入力端子からの制御信号による電荷を保持することで当該制御信号が途絶えた後も第２入力端子から制御信号の入力がある状態と同等の状態を所定時間維持するＣＲ回路を備える構成としてもよい。
また、本発明の実施形態として、上記追加回路へ電源供給するための供給系統を少なくとも２系統備え、当該２系統のうち、外部からの電源供給が絶たれたときに追加回路へ供給する電圧がより早く低下する方の供給系統と上記第１入力端子とを接続した構成としてもよい。
【００１１】
また、より詳細な本発明の実施形態として、制御部へ供給される電源電圧が所定レベルよりも低下する前に当該制御部をリセットさせる電子機器であって、外部の商用電源と接続し、入力した商用電源をＡＣ‐ＤＣ変換して所定の電源電圧を生成し出力可能な電源回路と、電子機器が稼働状態かスタンバイ状態かにかかわらず電源回路から出力される第１電源電圧を入力して稼働し、外部からの電源オンの指示を受け付けたときに、電子機器を稼働状態とするための第１制御信号を出力するサブＩＣと、第１制御信号を入力し、かつ、電源回路から出力される第２電源電圧を入力することにより稼働する上記制御部としてのＩＣであってリセット端子を備えるメインＩＣと、リセット端子に接続された追加回路と、を備え、追加回路は、第２電源電圧を入力する第１入力端子と、メインＩＣが稼働状態にあるときにメインＩＣから出力される第２制御信号を入力する第２入力端子と、第１電源電圧を入力する第３入力端子と、ベースを第２入力端子に接続しエミッタをグラウンドに接続したＮＰＮ型の第１トランジスタと、カソードを第１入力端子に接続しアノードを第１トランジスタのコレクタ側に接続し上記所定レベルよりも高い所定のしきい値以上の電圧が第１入力端子に印加された場合にアノード側へ電流を流すツェナーダイオードと、ツェナーダイオードのアノードと第１トランジスタのコレクタとを結ぶ経路に対してベースを接続しエミッタを第３入力端子に接続しコレクタをグラウンドに接続したＰＮＰ型の第２トランジスタとを備え、第３入力端子と第２トランジスタのエミッタとを結ぶ経路に対してリセット端子を接続し、第２入力端子から第２制御信号の入力があることで第１トランジスタがオン状態となり且つ第１入力端子における第２電源電圧のレベルが上記しきい値を下回ったとき第２トランジスタがオン状態となることによりリセット端子にリセット信号を与え、メインＩＣは、リセット端子にリセット信号が与えられたときにリセット状態へ移行し、追加回路は、第２入力端子からの第２制御信号による電荷をコンデンサに保持することで第２制御信号が途絶えた後も第２入力端子から第２制御信号の入力がある状態と同等の状態を所定時間維持するＣＲ回路を備え、さらに、追加回路へ第１電源電圧を供給するための供給系統と第２電源電圧を供給するための供給系統とのうち、第２電源電圧を供給する供給系統の方が、商用電源からの供給が絶たれたときに追加回路へ供給する電圧がより早く低下する、という構成としてもよい。
【００１２】
以下、図面を参照しながら本発明の実施形態をより詳細に説明する。
図１は、本実施形態にかかる電子機器１０の概略構成を例示している。電子機器１０には、例えば、液晶テレビジョン等が該当する。ただし、本発明が想定する電子機器は、電源回路を備え、かつ、ユーザが操作する外部のリモートコントロール装置（リモコン装置）によって制御される製品であれば、レコーダやプレーヤやモニター等、あらゆる電子機器が該当する。電子機器１０は、電源回路１１、ＤＣ‐ＤＣコンバータ１２、メインＩＣ１３、サブＩＣ１４、追加回路１５、チューナ回路１６、信号処理回路１７、パネル駆動回路１８、液晶モジュール１９等を備える。
【００１３】
電源回路１１は、例えば、外部の商用電源から電源コード（ＡＣコード）を介して取得される交流電圧を１次側で入力して変圧し２次側に出力するトランスや、トランスの２次側に取り出された交流を直流に変換する整流回路、平滑回路などを含む。電源回路１１から出力された直流電圧は、ＤＣ‐ＤＣコンバータ１２へ入力する。ＤＣ‐ＤＣコンバータ１２は、入力した直流電圧を所定レベルへ変換し、変換後の直流電圧を各駆動対象の電源電圧として各駆動対象へ供給する。一例として、ＤＣ‐ＤＣコンバータ１２からは、＋３．３Ｖ程度の常時電圧Ｖall（第１電源電圧）がサブＩＣ１４および追加回路１５へ供給される。また、ＤＣ‐ＤＣコンバータ１２からは、＋１２Ｖ程度の電源電圧Ｖcc（第２電源電圧）がメインＩＣ１３および追加回路１５へ供給され得る。
【００１４】
常時電圧Ｖallは、電子機器１０が、電源コードを介して商用電源と接続している場合は、電子機器１０が稼働状態かスタンバイ状態かにかかわらずＤＣ‐ＤＣコンバータ１２から出力される電圧である。従って、サブＩＣ１４は、電子機器１０がスタンバイ状態であっても常時電圧Ｖallを受けて稼働している。なお、電源回路１１とＤＣ‐ＤＣコンバータ１２とをまとめて電源回路と呼んでもよい。サブＩＣ１４は、電子機器１０がスタンバイ状態である場合に、リモコン装置や電子機器１０に設けられた各種キー等を介してユーザから電源オン（Ｐ‐ＯＮ）の指示を受け付けたとき、電子機器１０を稼働状態とするための第１制御信号（Ｐ‐ＯＮ１信号）を、メインＩＣ１３に対して出力する。Ｐ‐ＯＮ１信号とは、サブＩＣ１４が出力する所定のハイ（Ｈ）レベルかロー（Ｌ）レベルかの信号のうちＨレベルの信号である。
【００１５】
メインＩＣ１３は、電子機器１０を構成する各部、各回路とバスを介して接続しており、ＣＰＵ、ＲＡＭ、ＲＯＭを備え、稼働状態においてはＣＰＵがＲＡＭをワークエリアとしつつＲＯＭに記憶された所定のプログラムに従った処理を実行し電子機器１０全体を制御する。メインＩＣ１３は、Ｐ‐ＯＮ１信号を入力し、かつＤＣ‐ＤＣコンバータ１２から＋１２Ｖ程度の電源電圧Ｖccを入力することにより稼働する。また、メインＩＣ１３は、稼働開始後しばらくして、第２制御信号（Ｐ‐ＯＮ２信号）を追加回路１５に対して出力する（図３参照）。Ｐ‐ＯＮ２信号とは、メインＩＣ１３が出力する所定のＨレベルかＬレベルかの信号のうちＨレベルの信号である。メインＩＣ１３は、リセット端子１３ａを備え、リセット端子１３ａにリセット信号が与えられたときにリセット状態へ移行し、自身の初期化を実行する。
【００１６】
チューナ回路１６は、メインＩＣ１３による制御により不図示のアンテナを介して放送信号を受信する。信号処理回路１７は、受信された放送信号からの映像／音声信号の復調、映像信号に対する画質調整やスケーリング処理、等の各種信号処理を行なって液晶パネルの一画面分の映像信号（フレーム）を生成し、パネル駆動回路１８に出力する。パネル駆動回路１８は、供給されたフレームに基づいて液晶モジュール１９内の液晶パネルを駆動させ、フレームに基づく映像を液晶パネルに表示させる。液晶モジュール１９は、液晶パネルの他、液晶パネルを照射するためのバックライトやバックライトを駆動するためのインバータ回路等を含む。電子機器１０は、上述した構成以外にも音声信号処理回路やスピーカや外部入力端子など、テレビジョンを構成する上で必要な公知の各構成を備えることができる。
【００１７】
図２は、追加回路１５の構成を示す図である。追加回路１５は、第１入力端子１５ａ、第２入力端子１５ｂ、第３入力端子１５ｃを備える。第１入力端子１５ａは、上記電源電圧Ｖccを入力する。第２入力端子１５ｂは、上記Ｐ‐ＯＮ２信号を入力する。第３入力端子１５ｃは、上記常時電圧Ｖallを入力する。また、追加回路１５は、ベースを抵抗Ｒ１を介して第２入力端子１５ｂに接続しエミッタをグラウンドＧＮＤに接続したＮＰＮ型のトランジスタＱ１（第１トランジスタ）を備える。トランジスタＱ１のベースと抵抗Ｒ１とを結ぶ経路とグラウンドＧＮＤとの間には、コンデンサＣが設けられている。抵抗Ｒ１およびコンデンサＣは、所定の時定数を有するＣＲ回路を構成する。また、追加回路１５は、カソードを第１入力端子１５ａに接続しアノードをトランジスタＱ１のコレクタ側に接続したツェナーダイオードＺを備える。ツェナーダイオードＺは、メインＩＣ１３の最低動作電圧（所定レベル。例えば、＋４〜６Ｖ程度。）よりも高い所定のしきい値（ツェナー電圧）以上の電圧が第１入力端子１５ａに印加された場合にアノード側へ電流を流す特性を有しており、ツェナー電圧は、例えば＋９．１Ｖ程度である。なお、メインＩＣ１３は、供給される電源電圧Ｖccが最低動作電圧以上であることが稼働の条件となっている。
【００１８】
ツェナーダイオードＺのアノードとトランジスタＱ１のコレクタとの間には、ダイオードＤおよび抵抗Ｒ２が設けられ、ダイオードＤと抵抗Ｒ２とを結ぶ経路に対してベースを抵抗Ｒ３を介して接続するＰＮＰ型のトランジスタＱ２（第２トランジスタ）が設けられている。トランジスタＱ２は、エミッタを抵抗Ｒ４を介して第３入力端子１５ｃに接続しコレクタをグラウンドＧＮＤに接続している。さらに、抵抗Ｒ４とトランジスタＱ２のエミッタとを結ぶ経路に対して、リセット端子１３ａが接続されている。
【００１９】
このような追加回路１５では、第２入力端子１５ｂから制御信号（Ｐ‐ＯＮ２信号）の入力があり且つ第１入力端子１５ａにおける電源電圧Ｖccのレベルが上記ツェナー電圧を下回ったときにトランジスタＱ２（スイッチ素子）がオン状態となり、トランジスタＱ２のエミッタ‐コレクタ間が導通する。トランジスタＱ２がオン状態となったときにリセット端子１３ａの電圧レベルが“Ｌ”となる。リセット端子１３ａは、トランジスタＱ２がオフ状態にあるときは、常時電圧Ｖallにより所定のＨレベルにプルアップされている。このように、リセット端子１３ａのレベルをＬレベルへ切り換えることが、リセット端子１３ａにリセット信号を与えることに該当する。
【００２０】
追加回路１５の機能をより具体的すると、電子機器１０が通常の稼働状態にあるときは、第２入力端子１５ｂからＰ‐ＯＮ２信号の入力があることで、トランジスタＱ１のベース電圧が上昇し、トランジスタＱ１がオン状態となる（トランジスタＱ１のコレクタ‐エミッタ間が導通する）。また、第１入力端子１５ａには上記ツェナー電圧を上回る電源電圧Ｖccが印加されているため、ツェナーダイオードＺのカソード側からアノード側へ電流が流れており、トランジスタＱ２はオフ状態となっている（リセット端子１３ａはＨレベル）。一方、電子機器１０において瞬断等が発生し、電源電圧Ｖccのレベルが上記ツェナー電圧を下回ったとき、トランジスタＱ２のベース電圧が降下することでトランジスタＱ２がオン状態となる。これにより、リセット端子１３ａはＬレベルとなり、メインＩＣ１３がリセットされる。
【００２１】
なお、メインＩＣ１３が一旦リセットすると、その瞬間にメインＩＣ１３から第２入力端子１５ｂへのＰ‐ＯＮ２信号の入力が途絶えるため、リセット端子１３ａのレベルが不安定化し（リセット端子１３ａをＬレベルに維持できない場合があり）、上述したような追加回路１５によるメインＩＣ１３をリセットさせる機能が喪失しかねない。そこで追加回路１５は、上述したようなＣＲ回路を備えるようにしている。ＣＲ回路によれば、第２入力端子１５ｂからのＰ‐ＯＮ２信号による電荷をコンデンサＣに保持することで、Ｐ‐ＯＮ２信号が途絶えた後も第２入力端子１５ｂからＰ‐ＯＮ２信号の入力がある状態と同等の状態を所定時間維持するため、トランジスタＱ１のオン状態およびトランジスタＱ２のオン状態をある程度の時間維持することができ、それにより、メインＩＣ１３を確実にリセットさせることができる。
【００２２】
図３は、メインＩＣ１３が出力するＰ‐ＯＮ２信号等のシーケンスを示している。図３に示すように、電子機器１０では、ユーザから電源オン（Ｐ‐ＯＮ）の指示を受け付けたとき、サブＩＣ１４からメインＩＣ１４へ向かってＰ‐ＯＮ１信号が出力され、Ｐ‐ＯＮ１信号の出力と略同時にメインＩＣ１３への電源電圧Ｖccが立ち上がる。この結果、メインＩＣ１３が稼働開始し、その後のタイミング（例えば、Ｐ‐ＯＮの指示から５０ｍｓｅｃ後）でメインＩＣ１３からＰ‐ＯＮ２信号が出力される。また、ユーザから電源オフ（Ｐ‐ＯＦＦ）の指示を受け付けたとき、メインＩＣ１３はＰ‐ＯＮ２信号をオフにし、その後のタイミング（例えば、Ｐ‐ＯＦＦの指示から５０ｍｓｅｃ後）でサブＩＣ１４はＰ‐ＯＮ１信号をオフに、かつメインＩＣ１３への電源電圧Ｖccが低下していく。つまり、当該シーケンスによれば、ユーザによる電源オン／オフの指示を受けた時には、Ｐ‐ＯＮ２信号がメインＩＣ１３から出力され上記電源電圧Ｖccが低下している（上記ツェナー電圧を下回っている）、という状態が発生しないため、ユーザが電子機器１０の電源オン／オフを指示したときにメインＩＣ１３にリセットがかかってしまうという誤動作を防止できる。
【００２３】
なお、本実施形態にかかる電子機器１０では、追加回路１５へ電源電圧Ｖccを供給するための供給系統と常時電圧Ｖallを供給するための供給系統（図１参照）とのうち、電源電圧Ｖccを供給する供給系統の方が、商用電源からの供給が絶たれたときに（瞬断等が発生したときに）追加回路１５へ供給する電圧が低下し始めるタイミングが早いという特徴を持っている。このような特徴は、各供給系統の途中に設けられた図示しないコンデンサの容量等によって決まっている。従来の電子機器の構成においては、常時電圧Ｖallを入力して監視し、常時電圧Ｖallのレベルが低下したことを検知してメインＩＣ１３をリセットさせるリセットＩＣが採用されることがあった。
【００２４】
図４は、本実施形態にかかる追加回路１５を備えた場合のリセット端子１３ａがＬレベルに切り換わるタイミングと、従来のリセットＩＣの出力（リセットＩＣからメインＩＣのリセット端子への出力）がＬレベルに切り換わるタイミングとを示す図である。ここでは、電子機器１０が稼働中に電源コードが突然抜かれた場合（ＡＣ‐ＯＦＦ）における信号の変化を示している。図４に示すように、ＡＣ‐ＯＦＦとなった場合、本実施形態にかかる追加回路１５を備えた場合のリセット端子１３ａがＬレベルに切り換わるタイミングの方が、従来のリセットＩＣの出力がＬレベルに切り換わるタイミングよりも１秒程度早いことがわかる。これは、追加回路１５が、商用電源からの供給が絶たれたときにより早く低下を開始する電源電圧Ｖccの推移に基づいてリセット端子１３ａのレベルをＬレベルにさせるものだからである。つまり本実施形態によれば、従来のリセットＩＣを用いていた場合と比較して、瞬断等が発生したときにより早く反応してメインＩＣ１３をリセットさせることができる。
【００２５】
このように本実施形態によれば、メインＩＣ１３へ供給される電源電圧ＶccのレベルがメインＩＣ１３の最低動作電圧よりも高い所定のしきい値を下回った場合にメインＩＣ１３がリセットされる。そのため、瞬断等により、メインＩＣ１３へ供給される電源電圧Ｖccのレベルが、メインＩＣ１３にフリーズや誤動作等の不具合を起させるようなレベルまで下がる場合でも、かかる不具合が発生する前に確実にメインＩＣ１３がリセットされる。また、追加回路１５を設けることでこのような構成及び効果を実現するため、ユニット化された電源回路１１を用いて電子機器１０を製造しようとする場合にも好適である。
【符号の説明】
【００２６】
１０…電子機器、１１…電源回路、１２…ＤＣ‐ＤＣコンバータ、１３…メインＩＣ、１３ａ…リセット端子、１４…サブＩＣ、１５…追加回路、１５ａ…第１入力端子、１５ｂ…第２入力端子、１５ｃ…第３入力端子
【図１】
2012230602.tif 000003
【図２】
2012230602.tif 000004
【図３】
2012230602.tif 000005
【図４】
2012230602.tif 000006